(57)【要約】【課題】本発明は、特に器具や装置を現場まで持って行かなくても、夜間でもまた歩行者（通行人）や通行車両の乗員等であっても早期且つ確実に電線の折れたり曲がったりした箇所を発見することが可能な電線の構造を提供する。【解決手段】本発明の電線１は、導体３と、導体３の外周を覆う被覆４とを備え、被覆４は外的作用により発光が生ずる発光体５を有する構造であって、発光体５は、被覆４の電線１の軸方向に沿って形成された溝部４１に装着されており、液体Ａと液体Ｂとが混合することで化学発光が生ずる。【選択図】図１
2019102148.tif 000002
【特許請求の範囲】
【請求項１】
導体と、前記導体の外周を覆う被覆とを備えた電線であって、
前記被覆は、外的作用により発光が生ずる発光体が設けられていることを特徴とする電線の構造。
【請求項２】
前記被覆の外面に１又は複数の溝部を前記電線の軸方向に沿って形成し、前記溝部に前記発光体が装着されていることを特徴とする請求項１に記載の電線の構造。
【請求項３】
前記被覆を前記発光体としたことを特徴とする請求項１に記載の電線の構造。
【請求項４】
前記発光体は、触媒を含む液体と発光物質を含む液体とを個別に内蔵する中空の収容体であり、外的作用によって前記液体が混合することにより化学発光を生じさせることを特徴とする請求項１から請求項３のいずれかに記載の電線の構造。
【発明の詳細な説明】
【技術分野】
【０００１】
本発明は、高圧電線等の電線に関し、特に折れたり曲がったりして停電の原因となった電線があった場合に、かかる電線の早期発見・早期復旧のみならず、歩行者（通行人）や通行車両の乗員がかかる電線に気付いて進行方向を変更したり迂回したりすることによる安全の確保や、歩行者（通行人）や通行車両の乗員等から折れたり曲がったりした電線を発見した旨の連絡を受けるとの協力も得ることができる電線の構造に関する。
【背景技術】
【０００２】
近年における自然災害対策の一環として、高圧電線等の電線が折れたり曲がったりして停電の原因となった箇所を早期に発見して復旧することが要請されている。このため、夜間でも電線の停電の原因となった箇所を発見できることが求められる。また、歩行者（通行人）や通行車両の乗員等が折れたり曲がったりした電線の存在に気付きやすくすれば、歩行者（通行人）や通行車両の乗員等から折れたり曲がったりした電線を発見した旨の連絡を受けるといった協力を得て、停電箇所のより一層の早期発見も図ることができると共に、歩行者（通行人）や通行車両の乗員等の安全確保も図ることができる。
【０００３】
この点、特許文献１に示される電線は、導電性を有する芯材と、この芯材の外周に設けられた絶縁性の外側被覆と、この外側被覆の内周側に設けられて芯材の外周を被覆すると共に照射された外光を反射する材料を用いて構成された内側被覆とでなる構造となっている。これにより、特許文献１に示される電線の構造によれば、外側被覆が破れて内側被覆が露出した箇所では、照射された外光を反射するので、電線に光を当てることで、反射光により夜間でも電線が破損して内側被覆が露出した箇所を視認することが可能である。
【先行技術文献】
【特許文献】
【０００４】
【特許文献１】特開２０１１−２２２３６４号公報
【発明の概要】
【発明が解決しようとする課題】
【０００５】
もっとも、特許文献１に示される電線では、電線に光を当てるために投光器や懐中電灯等の器具や装置を現場まで持って行く必要があり不便である。また、電線が破損して内側被覆が露出した箇所に投光器等の器具や装置から照射された光が上手く当たらないと、電線が破損した箇所を見逃すおそれもある。このため、特許文献１に示される電線は、歩行者（通行人）や通行車両の乗員等が特に夜間において破損した電線の存在に気付きやすい構造となっているとは言い難い。
【０００６】
そこで、本発明は、特に器具や装置を現場まで持って行かなくても、夜間でもまた歩行者（通行人）や通行車両の乗員等であっても早期且つ確実に電線の折れたり曲がったりした箇所を発見することが可能な電線の構造を提供することを主たる課題としている。
【課題を解決するための手段】
【０００７】
上記課題を達成するために、本発明に係る電線の構造は、導体と、前記導体の外周を覆う被覆とを備えた電線であって、前記被覆は、外的作用により発光が生ずる発光体が設けられていることを特徴としている（請求項１）。電線は、例えば高圧電線である。導体は、複数本の金属製の導線を撚り合わせたものであっても、１本の金属製の芯線であっても良い。外的作用とは、例えば電線が折れたり曲がったりするときに、発光体のうちの破損許容部位も破損する等の、発光体に加わる外的作用である。
【０００８】
これにより、電線が折れたり曲がったりするときに発光体に加わる外的作用により、電線が折れたり曲がったりした箇所では発光体が発光するので、この光を目印として夜間でも電線の折れたり曲がったりした部位を早期かつ確実に発見することが可能である。また、歩行者（通行人）や通行車両の乗員等も、光により電線が折れたり曲がったりしていることに早期に気が付くことができるので、折れたり曲がったりした電線を迂回したり進行方向を変更したりすることが可能となる。更には、通行中の歩行者や通行車両の乗員等から折れたり曲がったりした電線を発見した旨の連絡を受けるとの協力を得ることで、停電箇所のより一層の早期発見も図ることができる。
【０００９】
本発明に係る電線の構造は、前記被覆の外面に１又は複数の溝部を前記電線の軸方向に沿って形成し、前記溝部に前記発光体が装着されていることを特徴としている（請求項２）。
【００１０】
複数の溝部に発光装置が装着された場合には、電線の折れたり曲がったりした部位を多面的に確認することができる。このため、電線の折れたり曲がったりした部位の早期の発見をより一層図ることができる。
【００１１】
また、本発明に係る電線の構造は、前記被覆を前記発光体としたことを特徴としている（請求項３）。
【００１２】
これにより、被覆に溝部を形成する必要がなくなり、電線の被覆全体が発光するため、発光体の光を目印として電線の折れたり曲がったりした部位を更に発見しやすくなるので、電線の折れたり曲がったりした部位の早期の発見を更に図ることができる。また、山中で電線が折れたり曲がったりした場合にも、電線の被覆全体が発光するため、遠方から電線の折れたり曲がったりした場所を発見しやすくなる。
【００１３】
前記発光体は、触媒を含む液体と発光物質を含む液体とを個別に内蔵する中空の収容体であり、外的作用によって前記液体が混合することにより化学発光を生じさせることを特徴としている（請求項４）。例えば、触媒は過酸化水素であり、発光物質はシュウ酸ジフェニルである。
【００１４】
これにより、発光体に加わる外的作用により、発光体内の２つの液体が混合して化学発光が生ずることから、電線が折れたり曲がったりしたときに、発光体に化学発光を生じさせることができる。
【発明の効果】
【００１５】
以上述べたように、本発明に係る電線の構造によれば、被覆に電線の軸方向に延びる溝部を形成して、この溝部に発光体を装着するか、電線の被覆自体を発光体とすることで、導体を覆う被覆に発光体が設けられたものとなっている。そして、発光体は、電線が折れたり曲がったりするときに発光体に加わる外的作用によって発光する構成となっている。これにより、発光体の発する光を目印として夜間でも電線の折れたり曲がったりした部位を早期に発見することが可能となる。また、歩行者（通行人）や通行車両の乗員等も、光により電線が折れたり曲がったりしていることに早期に気が付くことができるので、折れたり曲がったりした電線を迂回したり進行方向を変更したりするので、歩行者（通行人）や通行車両の乗員等の安全確保も図ることが可能である。更には、通行中の歩行者や通行車両の乗員等から折れたり曲がったりした電線を発見した旨の連絡を受けるとの協力を得ることで、停電箇所のより一層の早期発見も図ることが可能となる。
【図面の簡単な説明】
【００１６】
【図１】（ａ）は、本発明の電線の実施例１の一例を示した断面図であり、（ｂ）は、前記電線が有する発光体の電線への装着の工程の一例を示した説明図である。
【図２】本発明の電線の発光体を２か所とした実施例１の第２の例を示した断面図である。
【図３】本発明の電線の発光体を３か所とした実施例１の第３の例を示した断面図である。
【図４】本発明の電線の被覆を発光体にした実施例２の一例を示した断面図であり、（ａ）は電柱に架線する前の液体が空の状態を示し、（ｂ）は電柱に架線した後の液体が充填された状態を示している。
【図５】図４に示される実施例２の一例に係る電線に保護ケースを装着する態様を示した断面図であり、（ａ）は前記電線に保護ケースを装着しようとする状態を示し、（ｂ）は前記電線に保護ケースが装着された後の状態を示している。
【図６】（ａ）は、本発明が適用される電線を用いつつ電線が折れたり曲がったりしていない正常な状態を示す説明図であり、（ｂ）は、前記電線が折れたり曲がったりして当該箇所が発光している状態を示す説明図である。
【発明を実施するための形態】
【００１７】
以下、本発明の実施形態を図面に基づいてき説明する。
【実施例１】
【００１８】
図１及び図６において、この発明が適用される電線１の実施例１の一例が示されている。図１に示される電線１は、例えば銅線等の電気の伝導に優れた素材からなる所定の長手寸法の金属製線状体２を複数本（図１では１９本。ただし、この本数に限定されない。）撚り合わせてなる導体３と、導体３の外周を覆う被覆４とで、基本的に構成されており、図６に示されるように電柱Ｐ、Ｐ間に架線される高圧電線である。この点は、図２から図５に示される実施例１の他例の電線１も同様である。なお、図示しないが、電線１の導体３は、１本のものであっても良い。また、電線１は、被覆電線であれば必ずしも高圧電線に限定されない。
【００１９】
図１に示される電線１の被覆４は、例えばポリエチレン等の絶縁プラスチック、その他の絶縁素材で成ると共に所定の厚みを有する環状のものである。被覆４は、任意の位置、例えば鉛直方向の下方に、下記する発光体５の円状の外周面と略同じ曲率の円弧状の内周面の溝部４１が形成されている。溝部４１は、電線１の軸方向に沿って延びている。そして、この実施例では、溝部４１の電線１の円周方向の両側に位置する周縁から下記する発光体５を保持することができる保持片４２、４２が延出している。保持片４２、４２の対峙する面（発光体５側を向いた面）は、発光体５の円状の外周面と略同じ曲率の円弧状に湾曲している。
【００２０】
発光体５は、発光前の段階では、この実施例では、過酸化水素等の触媒を含む液体Ａが封入され、発光体５の外形を形成する筒状体５１と、この筒状体５１内に収められ、シュウ酸ジフェニル等の発光物質を含む液体Ｂが封入された内蔵ケース５２とで構成された収容体である。液体Ａと液体Ｂとが混合した場合には、化学発光が生ずる。化学発光する時間は、例えば７時間から８時間である。液体Ａと液体Ｂとの混合は、発光体５に例えば電線１が折れたり曲がったりするほどの外的作用が働いて、液体Ｂを封入した内蔵ケース５２が破損することで生ずる。なお、液体Ｂが筒状体５１に封入され、液体Ａが内蔵ケース５２に封入されるようにしても良い。
【００２１】
このような発光体５の構成から、筒状体５１の外壁部は、発光体５に電線１が折れたり曲がったりするほどの外的作用が働いても、破損して液体Ａや液体Ａと液体Ｂとの混合液が外部に漏れないようにする必要があるので、柔軟性を有しつつ強固な素材で形成されている。更に、筒状体５１の外壁部の素材は、光の透過性も有する素材（透明、半透明な素材）でもある。内蔵ケース５２の外壁部は、発光体５に電線１が折れたり曲がったりするほどの外的作用が働いたときに破損する必要があるので、筒状体５１の外壁部の強度よりは弱いが、前記外的作用以外で不必要に破損するのも防止する必要があることから、ある程度の柔軟性と強度を有する素材で形成されている。
【００２２】
発光体５は、電線１が電柱Ｐ、Ｐ間に架線されているときには、図１に示されるように、電線１の被覆４の溝部４１に装着され、更に２つの保持片４２、４２により保持されている。発光体５が電線１の鉛直方向の下方に位置することで、発光体５が発光したときに、電線１の下方から発光している発光体５を容易に発見することができる。発光体５は、電線１の運搬、保管等のために電線１を巻回したときに、内蔵ケース５２の外壁部が破損しないように、更には、発光体５自体の運搬を容易にするために、図１（ｂ）に示されるように、トラック、その他の輸送車等の荷台に載置可能な長手寸法としつつ、その長手方向の端部に設けた雄型係合部５３と雌型係合部５４とを係合することで連結して電線１と同じ長さとなるようにしても良い。
【００２３】
このような発光体５の電線１への装着の一例について、図１（ｂ）を用いて説明する。まず、図１（ｂ）の矢印（ｉ）に示されるように、発光体５を電線１に近づける方向に動かして溝部４１に装着し、保持片４２で保持する。次に、図１（ｂ）の矢印（ｉｉ）に示されるように、発光体５を電線１の軸方向に動かして、既に装着済みの発光体５の雄型係合部５３（或いは雌型係合部５４）に、発光体５の雌型係合部５４（或いは雄型係合部５３）を係合する。これにより、発光体５を延設しつつ電線１に装着することができる。
【００２４】
図１を用いて、電線１の被覆４の鉛直方向の下方に溝部４１を形成して、この溝部４１に発光体５を装着するとして説明してきたが、発光状態の発光体５を早期に発見、確認する観点から、このような構成に限定されない。図２に示されるように、電線１の左右方向の両側となるように、被覆４に溝部４１を２つ設け、これらの溝部４１にそれぞれ発光体５を装着しても良い。また、図３に示されるように、電線の鉛直方向の下方に１つ、電線の左右方向の斜め上方にそれぞれ１つずつとなるように、被覆４に溝部４１を３つ設け、これらの溝部４１にそれぞれ発光体５を装着しても良い。これにより、発光体５が電線１の複数個所で発光するので、電線１が折れたり曲がったりした箇所を多面的に発見、確認することが可能となる。
【００２５】
このような図１から図３に示される構成の発光体５が設けられた電線１を用いた場合には、電線１が正常な状態のときには、図６（ａ）に示されるように、発光体５が発光しないが、電線１が折れたり曲がったりしたときには、図６（ｂ）に示されるように、電線１の折れたり曲がったりした部位が発光し、しかもその発光時間は例えば７時間から８時間にわたることから、夜間であっても、光を目印として電線１の折れたり曲がったりした部位を早期に発見することができる。よって、停電の復旧作業も迅速に行うことが可能である。
【実施例２】
【００２６】
図４及び図５において、この発明が適用される電線１の実施例２の一例が示されている。以下、図４及び図５に示される電線１について説明する。ただし、図１から図３に示される電線１と同様の構成については、特に説明上必要とされない限り、同一の符号を付してその説明を省略ないし簡略化する。
【００２７】
図４及び図５に示される電線１は、被覆４自体を発光体とすることで被覆４に発光体が設けられた構成とするものであり、この電線１の導体３の外周に配置された被覆４は、導体３側の内側被覆６１と、外周側の外側被覆６２と、内側被覆６１と外側被覆６２との間に配置された複数の筒状部６３とを有して構成されている。内側被覆６１は、例えばポリエチレン等の絶縁プラスチック、その他の絶縁素材で成る環状のものである。外側被覆６２や筒状部６３の素材については後述する。
【００２８】
外側被覆６２と内側被覆６１とで形成される環状の空間には、酸化水素等の触媒を含む液体Ａが封入され、筒状部６３内にはシュウ酸ジフェニル等の発光物質を含む液体Ｂが封入されている。被覆４を外周に有する電線１に、折れたり曲がったりするほどの外的作用が働いて、液体Ｂを封入した筒状部６３が破損することで、液体Ａと液体Ｂとが混合して例えば７時間から８時間にわたって化学発光が生ずる。なお、液体Ａを封入する対象と液体Ｂを封入する対象とを逆にしても良い。
【００２９】
このような発光体でもある被覆４の構成から、外側被覆６２は、被覆４に電線１が折れたり曲がったりするほどの外的作用が働いても、破損して液体Ａや液体Ａと液体Ｂとの混合液が外部に漏れないようにする必要があるので、柔軟性を有しつつ強固な素材で形成されている。更に、外側被覆６２の素材は、光の透過性も有する素材（透明、半透明な素材）でもある。
【００３０】
また、筒状部６３は、実施例１の内蔵ケース５２と同様に、被覆４に電線１が折れたり曲がったりするほどの外的作用が働いたときに破損する必要があるため、外側被覆６２の強度よりは弱いが、前記外的作用以外で不必要に破損するのも防止する必要があるので、ある程度の柔軟性と強度を有する素材で形成されている。なお、筒状部６３は、外側被覆６２と内側被覆６１との双方に接することで外側被覆６２を支持する支持体としての機能を有するものとしても良い。
【００３１】
このような被覆４が発光体をなす電線１を作業現場に運搬するにあたっては、例えば図４（ａ）に示されるように、外側被覆６２と内側被覆６１とで形成される環状の空間に液体Ａを入れず空の状態とし、且つ、筒状部６３に液体Ｂを入れずに空の状態として運搬し、現地で外側被覆６２、内側被覆６１及び筒状部６３の破損の有無を確認した後、図４（ｂ）に示されるように、外側被覆６２と内側被覆６１とで形成される環状の空間に液体Ａを封入すると共に、筒状部６３に液体Ｂを封入して、かかる電線１を電柱Ｐに架線させるという方法が考えられる。
【００３２】
これにより、運搬中は、液体Ａ、Ｂが空の状態であるので、運搬中に筒状部６３が破損して、筒状部６３内の液体Ｂが外側被覆６２と内側被覆６１とで形成される環状の空間内に漏れて液体Ａと混合してしまうのを防止することが可能である。しかも、運搬する電線１の軽量化も図ることができる。
【００３３】
また、例えば図５に示されるような、略半円状のカバー部材７１、７２と、カバー部材７１及びカバー部材７２の各々の一方端に連結されて、カバー部材７１、７２の他方端を相互に遠近自在にした軸部７３と、カバー部材７１、７２のそれぞれ内周側に配置された衝撃吸収材７４とで成る保護カバー７で、運搬中は電線１を覆うようにしても良い。
【００３４】
これにより、電線１が外部から強い衝撃を受けても保護カバー７で守られているので、運搬中に筒状部６３が破損して、筒状部６３内の液体Ｂが外側被覆６２と内側被覆６１とで形成される環状の空間内に漏れて液体Ａと混合してしまうのを防止することが可能である。
【００３５】
このような図４及び図５に示される構成の被覆４が発光体をなす電線１を用いた場合にも、電線１が正常な状態のときには、図６（ａ）に示されるように、被膜４が発光しないが、電線１が折れたり曲がったりしたときには、図６（ｂ）に示されるように、被膜４のうち電線１の折れたり曲がったりした部位が発光し、しかもその発光時間は例えば７時間から８時間にわたることから、夜間であっても、光を目印として電線１の折れたり曲がったりした部位を早期に発見することができる。よって、停電の復旧作業も迅速に行うことが可能である。しかも、電線１の外周をなす被覆４全体が発光するので、例えば山中で電線が折れたり曲がったりした場合にも、遠方から電線１の折れたり曲がったりした場所を確認することが可能となる。
【符号の説明】
【００３６】
１  電線
３  導体
４  被覆
４１  溝部
５  発光体
５１  筒状体
５２  内蔵ケース
６１  内側被覆
６２  外側被覆
６３  筒状部
Ａ  液体
Ｂ  液体
【図１】
2019102148.tif 000003
【図２】
2019102148.tif 000004
【図３】
2019102148.tif 000005
【図４】
2019102148.tif 000006
【図５】
2019102148.tif 000007
【図６】
2019102148.tif 000008